(57)【要約】【課題】フライ返し等の形状等に関係なく保持することができ、しかも振動が加わっても、フライ返し等が互いに接触することがなく不快な音の発生がなくて、しかもフライ返し等を出し入れし易い収納庫を提供する。【解決手段】フライ返しＳを挟持部材２９の自由端部３５どうしの間に押し込むだけで保持させることができ、フライ返しＳを自由端部３５どうしの間から引き出すだけで外すことができるので、フライ返し等の形状、大きさ及びフックを通す穴の有無に関係なく保持することができ、しかもフライ返しＳを極めて簡単に出し入れすることが可能である。フライ返しＳやしゃもじＳは弾性を有する挟持部材２９によって保持されているので、引出５の出入動作の際にもライ返しＳやしゃもじＳが揺動することはなく、フライ返しＳ等が互いに接触することなく、不快な音が出るのを完全に防止することができる。【選択図】        図１
2007167162.tif 000002
【特許請求の範囲】
【請求項１】
キャビネットと、前記キャビネットに対し動作するように備えられた収納部と、前記収納部に備えられ被収納物を保持する収納物保持体とを有する収納庫において、前記に収納物保持体は、弾性を有する複数の挟持部材と、前記複数の挟持部材を並んだ状態に保持するホルダとによって構成され、互いに隣り合う挟持部材どうしの間に被収納物を挟みこんで被収納物を保持することを特徴とする収納庫。
【請求項２】
請求項１に記載した収納庫において、複数の挟持部材は湾曲する状態でホルダに保持され、挟持部材の湾曲部を境にする自由端部どうしの間に被収納物を挟みこんで被収納物を保持することを特徴とする収納庫。
【請求項３】
請求項１または２に記載した収納庫において、互いに隣り合う挟持部材の一部分が互い弾接した状態でホルダに保持されていることを特徴とする収納庫。
【請求項４】
請求項１から３のいずれかに記載した収納庫において、挟持部材はホルダに対し着脱自在であることを特徴とする収納庫。
【請求項５】
請求項１から４のいずれかに記載した収納庫において、被収納物保持体はフライ返し、しゃもじ等の比較的長尺な被収納物を収納するものであることを特徴とする収納庫。
【発明の詳細な説明】
【技術分野】
【０００１】
本発明は収納庫に係り、特にフライ返しやしゃもじ等の比較的長尺な被収納物を収納するのに便利な収納庫に関する。
【背景技術】
【０００２】
システムキッチン等に組み込まれる収納庫は、例えばキャビネットと、このキャビネットに引き出し自在に備えられる引出とによって構成されている。この引出には台所用品を収納するためのトレイやフック等が備えられている。
フライ返しやしゃもじ等は比較的長尺で、しかも意外と嵩張る形状であるため、トレイに整頓した状態に収納するのは難しいばかりか、出し入れし難くなってしまう問題がある。従って、フックに掛けて収納するのが都合がよいと考えられていた。
【発明の開示】
【発明が解決しようとする課題】
【０００３】
しかしながら、フライ返し等の中には上端部にフックを通すための穴のない物もあり、トレイに置かざるを得ないことも少なくない。
また、フライ返し等をフックに掛けて収納すると、フライ返し等が僅かな振動で揺動するため、引出をキャビネットに対し出し入れする際にフライ返し等が互いに接触したり、フライ返し等が引出の内側面に接触したりして不快な音を出すという問題がある。
更に、フライ返し等の形状や、そのフックを通す穴の大きさ等によっては、フライ返し等をフックに対し着脱し難いという不都合もある。
【０００４】
本発明は上記従来の問題点に着目して為されたものであり、フライ返し等の被収納物の形状、大きさ及びフックを通す穴の有無に関係なく保持することができ、しかも振動が加わっても、フライ返し等の被収納物が互いに接触することがなく不快な音の発生がなくて、しかもフライ返し等の被収納物を出し入れし易い収納庫を提供することを、その目的とする。
【課題を解決するための手段】
【０００５】
本発明は上記課題を解決するためになされたものであり、請求項１の発明は、キャビネットと、前記キャビネットに対し動作するように備えられた収納部と、前記収納部に備えられ被収納物を保持する収納物保持体とを有する収納庫において、前記に収納物保持体は、弾性を有する複数の挟持部材と、前記複数の挟持部材を並んだ状態に保持するホルダとによって構成され、互いに隣り合う挟持部材どうしの間に被収納物を挟みこんで被収納物を保持することを特徴とする収納庫である。
【０００６】
請求項２の発明は、請求項１に記載した収納庫において、複数の挟持部材は湾曲する状態でホルダに保持され、挟持部材の湾曲部を境にする自由端部どうしの間に被収納物を挟みこんで被収納物を保持することを特徴とする収納庫である。
【０００７】
請求項３の発明は、請求項１または２に記載した収納庫において、互いに隣り合う挟持部材の一部分が互い弾接した状態でホルダに保持されていることを特徴とする収納庫である。
【０００８】
請求項４の発明は、請求項１から３のいずれかに記載した収納庫において、挟持部材はホルダに対し着脱自在であることを特徴とする収納庫である。
【０００９】
請求項５の発明は、請求項１から４のいずれかに記載した収納庫において、被収納物保持体はフライ返し、しゃもじ等の比較的長尺な被収納物を収納するものであることを特徴とする収納庫である。
【発明の効果】
【００１０】
本発明の収納庫によれば、被収納物の形状、大きさ及びフックを通す穴の有無に関係なく保持することができる。
また、振動が加わっても、被収納物どうし等が互いに接触することがなく不快な音の発生がない。
さらに、被収納物を挟持部材どうしの間に押し込むだけで保持させることができ、挟持部材どうしの間から引き出すだけで外すことができるので、被収納物を極めて簡単に出し入れすることが可能である。
【発明を実施するための最良の形態】
【００１１】
本発明の実施の形態に係る収納庫１を図面にしたがって説明する。
収納庫１はシステムキッチンの構成要素として備えられるものである
符号３はキャビネットを示し、このキャビネット３は前面に開口を有している。キャビネット３には収納部としての引出５が備えられている。この引出５はキャビネット３に対し図示しないフルオープンタイプのガイドレールを介して取付けられており、出入動作自在である。
【００１２】
引出５の構成について説明する。
符号７は籠部を示し、この籠部７は鋼製の丸棒やプレートを組み合わせて溶接することによって構成されている。籠部７の下端部には底板９が取り付けられている。また、籠部７の前部には前板１１が取り付けられており、この前板１１には取っ手１３が取り付けられている。さらに籠部７の上部には収納物保持体１５が取り付けられている。
【００１３】
収納物保持体１５の構成について説明する。
ホルダ１７は鋼製であり、板材から成る主部１９と、この主部１９に固定される２本の丸棒２１とによって構成されている。主部１９は前後方向に長く、その両端部は直角に曲げられて、一対の固定片２３が形成されている。一対の固定片２３に２本の丸棒２１が渡設されており、２本の丸棒２１は所定の間隔をあけて平行となるように上下に配置されている。
ホルダ１７の背面には一対の鋼製の取付プレート２５が固定されている。取付プレート２５は途中部分が水平方向に曲げられ、さらに垂直に曲げられている。取付プレート２５の上端部には丸穴２７が形成されている。
【００１４】
符号２９はエラストマー製の挟持部材を示し、この挟持部材２９は矩形平板状で、両端部の上下部分に切り欠き３１が形成されている。１２個の挟持部材２９は長手方向の中心部分である湾曲部３３において湾曲させられ、上下の切り欠き３１がホルダ１７の上下に配された丸棒２１にそれぞれ嵌められて並んだ状態で保持されている。即ち、１２個の挟持部材２９がＵ字状に湾曲させられた状態で２本の丸棒２１に保持されており、互いに隣り合う挟持部材２９の長手方向の中心部分である湾曲部３３を境とする自由端部３５が互いに弾接して並んだ状態で配置されている。
上記のように挟持部材２９は切り欠き３１を丸棒２１に嵌めるだけでホルダ１７に取り付けられているので、簡単に着脱できる。
【００１５】
図２に示すように、取付プレート２５の丸穴２７に通された雄ネジ４１が、籠部７の最上部の丸棒３７に固定されたプレート３９の雌ネジ４３に螺合されて、収納物保持体１５は引出５の籠部７に取り付けられる。なお、前述のように取付プレート２５は途中部分が水平方向に曲げられ、さらに垂直に曲げられているのは、籠部７の丸棒３７の下側に位置する丸棒４５を逃げるためである。
【００１６】
次に、この収納庫１に比較的長尺な被収納物であるフライ返しＳ、しゃもじＳ等を収納する方法について説明する。
図４に示すように、フライ返しＳの柄を互いに隣り合う挟持部材２９の自由端部３５どうしが弾接している部分に対向させて、そのまま自由端部３５どうしの間に押し込む。挟持部材２９はエラストマーによって構成されているので、弾性変形してフライ返しＳの進入を許容し、次いでフライ返しＳの柄に弾接して保持する。これによりフライ返しＳは収納物保持体１５に保持される。
【００１７】
また、フライ返しＳを収納物保持体１５から外す場合は、フライ返しＳの挟持部材２９の自由端部３５から出ている部分を持って手前に軽く引く。これにより挟持部材２９が弾性変形して、フライ返しＳを収納物保持体１５から外すことができる。フライ返しＳを外した後の挟持部材２９は自由端部３５どうしが弾接する元の状態となる。
このように、フライ返しＳを挟持部材２９の自由端部３５どうしの間に押し込むだけで保持させることができ、フライ返しＳを自由端部３５どうしの間から引き出すだけで外すことができる。従って、フライ返しＳ等の形状、大きさ及びフックを通す穴の有無に関係なく保持することができ、しかもフライ返しＳを極めて簡単に出し入れすることが可能である。
【００１８】
上記のようにフライ返しＳやしゃもじＳは弾性を有する挟持部材２９によって保持されているので、引出５の出入動作の際にもフライ返しＳやしゃもじＳが揺動することはなく、フライ返しＳ等が互いに接触したり、フライ返しＳ等が引出５の内側面に接触したりすることなく、不快な音が出るのを完全に防止することができる。
【００１９】
また、隣り合う挟持部材２９の自由端部３５どうしが弾接しているので、菜箸のように細いものであっても、確実に挟持することが可能である。
さらに、挟持部材２９はＵ字状に湾曲しているので、弾性変形できる範囲を大きく取れる。従って、かなり太いものであっても確実に保持することが可能である。
【００２０】
上記のように挟持部材２９は丸棒２１に対し簡単に着脱できるので、組立作業を容易に行うことができ、更に必要に応じてホルダ１７に備える数を変更することも容易に行うことが可能である。さらに、挟持部材２９の交換や清掃のために、挟持部材２９を外す場合でも極めて容易に作業を行うことが可能である。
【００２１】
以上、本発明の実施の形態について詳述してきたが、具体的構成は、この実施の形態に限られるものではなく、本発明の要旨を逸脱しない範囲における設計の変更などがあっても本発明に含まれる。
例えば、上記実施の形態では挟持部材をエラストマーによって構成したが、本発明はこれに限定されず、他の弾性を有する合成樹脂、或いは板バネ等をインサート成形等によって備えた合成樹脂等によって構成してもよい。
また、上記実施の形態では本発明の収納庫をシステムキッチンの一部に適用した場合を示したが、本発明はこれに限定されず、収納庫を単体として使用してもよいのは勿論である。
【００２２】
上記実施の形態では、収納部として引出を示したが、本発明はこれに限定されず、収納部はキャビネットに格納された状態から前方へ動作しながら下降する籠部や、裏面に収納物保持体を備えた収納部としても機能するキャビネットの扉等であってもよい。
さらに、本発明の収納庫は上記したフライ返し等の台所用品を収納するだけでなく、他の被収納物を収納してもよい。
なお、上記実施の形態では挟持部材２９の自由端部３５どうしが弾接している場合を示したが、挟持部材２９間に隙間が開くように備えることも可能である。
【図面の簡単な説明】
【００２３】
【図１】本発明の実施の形態に係る収納庫の斜視図である。
【図２】図１の収納庫に備えられる収納物保持体とこれを取り付ける籠部の一部分を示す斜視図である。
【図３】図２の収納物保持体の分解斜視図である。
【図４】収納物保持体にフライ返しを保持させる作業を説明するための図である。
【符号の説明】
【００２４】
１  収納庫      ３  キャビネット      ５  引出      ７  籠部
９  底板      １１  前板      １３  取っ手      １５  収納物保持体
１７  ホルダ      １９  主部      ２１  丸穴      ２３  固定片
２５  取付プレート      ２７  丸穴      ２９  挟持部材
３１  切り欠き      ３３  湾曲部      ３５  自由端部
３７  丸棒      ３９  プレート      ４１  雄ネジ      ４３  雌ネジ
４５  丸棒      Ｓ  フライ返し、しゃもじ等の被収納物
【図１】
2007167162.tif 000003
【図２】
2007167162.tif 000004
【図３】
2007167162.tif 000005
【図４】
2007167162.tif 000006